(57)【要約】      （修正有）【課題】小型基地局環境で二重接続サービス特性に対して、ローカルネットワークで選定されたＩＰトラフィックオフロードＳＩＰＴＯ＠ＬＮサービスをサポートするスタンドアロンゲートウェイの選択に保障を提供する。【解決手段】小型基地局環境で情報インタラクションを行う方法である。方法は、モビリティ管理エンティティが、ユーザー端末にサービスゲートウェイを再び選択するステップと、モビリティ管理エンティティが、ユーザー端末がアクセスしたマスター基地局へ新たなＥＲＡＢアドレス情報が載せられた進化した無線アクセスベアラ（ＥＲＡＢ）修正メッセージを送信するステップを含む。【選択図】図９
2018129816.tif 000002
【特許請求の範囲】
【請求項１】
モビリティ管理エンティティが、ユーザー端末にサービスゲートウェイを再び選択するステップと、
モビリティ管理エンティティが、ユーザー端末がアクセスしたマスター基地局へ新たなＥＲＡＢアドレス情報が載せられた進化した無線アクセスベアラ（ＥＲＡＢ）修正メッセージを送信するステップと、を含む小型基地局環境で情報インタラクションを行う方法。
【請求項２】
モビリティ管理エンティティが、ユーザー端末にサービスゲートウェイを再び選択するステップは、
モビリティ管理エンティティが、ユーザー端末にローカルネットワークで選定されたＩＰトラフィックオフロードサービス、又は無線アクセスネットワーク上層に位置する選定されたＩＰトラフィックオフロードサービスを新しく確立するために、サービスゲートウェイＳＧＷを再び選択することを含む請求項１に記載の方法。
【請求項３】
新たなＥＲＡＢアドレス情報は、トランスポート層アドレス情報及びアップリンクＧＴＰトンネルエンドポイント識別子（ＧＴＰ ＴＥＩＤ）情報を含む請求項１に記載の方法。
【請求項４】
マスター基地局が、モビリティ管理エンティティにより送信された新たな進化した無線アクセスベアラ（ＥＲＡＢ）アドレス情報が載せられたＥＲＡＢ修正メッセージを受信することと、
マスター基地局が、前記ＥＲＡＢ修正メッセージを受信した後、前記新たなＥＲＡＢアドレス情報を基地局間インターフェースによりセカンダリ基地局に転送することと、を含む小型基地局環境で情報インタラクションを行う方法。
【請求項５】
前記基地局間インターフェースは、Ｘ２インターフェース又はＸｎインターフェースであることを更に含む請求項４に記載の方法。
【請求項６】
小型基地局環境でのマスター基地局とする基地局であって、
モビリティ管理エンティティにより送信された新たな進化した無線アクセスベアラ（ＥＲＡＢ）アドレス情報が載せられたＥＲＡＢ修正メッセージを受信するように設定されるモビリティ管理エンティティ情報受信モジュールと、
前記ＥＲＡＢ修正メッセージを受信した後、前記新たなＥＲＡＢアドレス情報を基地局間インターフェースによりセカンダリ基地局に転送するように設定される基地局間情報インタラクションモジュールと、を含む基地局。
【請求項７】
前記基地局間インターフェースは、Ｘ２インターフェース又はＸｎインターフェースであり、
前記新たなＥＲＡＢアドレス情報は、トランスポート層アドレス情報及びアップリンクＧＴＰトンネルエンドポイント識別子（ＧＴＰ ＴＥＩＤ）情報を含む請求項６に記載の基地局。
【請求項８】
ユーザー端末にサービスゲートウェイを再び選択するように設定されるゲートウェイ選択モジュールと、
ユーザー端末がアクセスしたマスター基地局へ新たなＥＲＡＢアドレス情報が載せられた進化した無線アクセスベアラＥＲＡＢ修正メッセージを送信するように設定されるメッセージ送信モジュールと、を含むモビリティ管理エンティティ。
【請求項９】
前記ゲートウェイ選択モジュールが、ユーザー端末にサービスゲートウェイを再び選択するように設定されることは、ユーザー端末にローカルネットワークで選定されたＩＰトラフィックオフロードサービス、又は無線アクセスネットワーク上層に位置する選定されたＩＰトラフィックオフロードサービスを新しく確立するために、サービスゲートウェイを再び選択することを含む請求項８に記載のモビリティ管理エンティティ。
【請求項１０】
前記新たなＥＲＡＢアドレス情報は、トランスポート層アドレス情報及びアップリンクＧＴＰトンネルエンドポイント識別子（ＧＴＰ ＴＥＩＤ）情報を含む請求項８に記載のモビリティ管理エンティティ。
【発明の詳細な説明】
【技術分野】
【０００１】
本発明は、通信技術分野に関し、特に小型基地局環境で情報インタラクションを行う方法、基地局、及びモビリティ管理エンティティに関する。
【背景技術】
【０００２】
図1に示すように、関連技術において長期的進化システム（ＬＴＥ，Long Term Evolution）アーキテクチャは、モビリティ管理エンティティ（ＭＭＥ，Mobility Management Entity）、サービスゲートウェイ（ＳＧＷ，Serving GeteWay）及び基地局（ｅＮＢ，Evolved Node B）を含み、ユーザー装置（ＵＥ，User Equipment）と基地局ｅＮＢとの間はＵｕインターフェースであり、ｅＮＢとＭＭＥとの間はＳ１-ＭＭＥ（S1 for the control plane）インターフェースであり、ｅＮＢとＳＧＷとの間はＳ１-Ｕインターフェースであり、ｅＮＢの間は、Ｘ２-Ｕ（X2-User plane）、Ｘ２-Ｃ（X2-Control plane）インターフェースである。ＬＴＥにおいて、Ｓ１-ＭＭＥインターフェースのプロトコルスタックは、下から上へ、Ｌ１プロトコル、Ｌ２プロトコル、インターネットプロトコル（ＩＰ，Internet Protocol）、ストリーム制御伝送プロトコル（ＳＣＴＰ，Stream Control Transmission Protocol）、Ｓ１アプリケーションプロトコル（Ｓ１-ＡＰ，S1-Application Protocol）というプロトコル層に分けられる。ＬＴＥにおいて、Ｓ１-Ｕインターフェースのプロトコルスタックは、下から上へ、Ｌ１プロトコル、Ｌ２プロトコル、ユーザーデータプロトコル/インターネットプロトコル（ＵＤＰ/ＩＰ）、ＧＰＲＳトンネルプロトコル-ユーザプレーン（ＧＴＰ-Ｕ，GPRS Tunneling Protocol- User plane）というプロトコル層に分けられる。
【０００３】
現在、スペクトルリソースの欠乏、及び移動ユーザーの大トラヒック量サービスの急激な増加により、ユーザースループットを増加するとともにモバイル性能を強化するために、高周波ポイント（例えば３.５GHz）を採用してホットスポットのカバレッジを行う要求はますます顕著になり、低電力を採用したノードが新たなアプリケーションシナリオになる。しかし、高周波ポイントの信号減衰が比較的強いので、新たなセルのカバレッジ範囲が比較的小さく、且つ従来のセルとのサイトが異なるので、ユーザーがこれらの新たなセルの間で移動したり、又は新たなセルと従来セルとの間で移動すると、必ず頻繁な切り替え過程を引き起こし、それにより基地局の間で頻繁にユーザー情報を伝達し、コアネットワークに対して大きいシグナル衝撃を引き起こし、さらに、無線側の大量の小セルラー基地局の導入を抑制する。図２に示すように、小セルラー基地局アーキテクチャで、ユーザプレーンの二重接続サービスによりユーザー端末の移動による頻繁な切り替えを減少できる。ユーザプレーンの二重接続とは、ユーザーデータは、コアネットワークからマスター基地局（ＭｅＮＢ，Master eNB）を介してユーザーに送信されてもよいし、コアネットワークからセカンダリ基地局（ＳｅＮＢ，Secondary eNB）を介してユーザーに送信されてもよい。ユーザー装置と基地局との間はＵｕインターフェースであり、ＭｅＮＢとＭＭＥとの間はＳ１-ＭＭＥインターフェースであり、ＭｅＮＢ、ＳｅＮＢとＳＧＷとの間はＳ１-Ｕインターフェースであり、ｅＮＢの間はＸｎインターフェースである。ユーザーはＭｅＮＢでアクセス後、ＳｅＮＢを添加、修正、削除することより、二重接続を実現することができる。
【０００４】
一方、ユーザーのローカルサービスとＩＮＴＥＲＮＥＴサービスに対する幅広い要求に従って、ユーザー端末（ＵＥ）とコアネットワークにとって、常時オンライン機能（すなわち、データ接続を確立した後はいつでも、ＵＥは外部データネットワークへデータを送信してもよいし、外部データネットワークはＵＥへデータを送信してもよい）をサポートする必要がある。前記外部データネットワークとは、公衆地上モバイル通信ネットワーク（ＰＬＭＮ）に属しないが、ＰＬＭＮに接続するＩＰネットワークである。ＬＩＰＡ＠ＬＮ（Local IP Access at Local Network, ローカルネットワークでのローカルＩＰアクセス）又はＳＩＰＴＯ＠ＬＮ（Selected IP Traffic Offload at Local Network, ローカルネットワークで選定されたＩＰトラフィックオフロード）機能に対して、ＬＩＰＡ又はＳＩＰＴＯサービスをサポートするゲートウェイは、基地局（マクロ基地局であってもよいし、ホーム基地局であってもよい）に対し独立すれば、スタンドアロンゲートウェイ（standalone GW）と呼ばれ、スタンドアロンゲートウェイは常にＳＧＷ機能もサポートする。図３は、ＳＩＰＴＯ＠ＬＮスタンドアロンＬＧＷアーキテクチャの模式図であり、ＳＩＰＴＯ＠ＬＮのスタンドアロンＬＧＷアーキテクチャで、ＵＥのＳＧＷ及びＰＧＷ（一般的にＬＧＷと呼ばれる）がいずれも無線側アクセスネットワークに位置するとともに、ホーム基地局(Ｈ)ｅＮＢにスタンドアロンする。
【０００５】
関連のＬＴＥシステムで、ＳＩＰＴＯ＠ＬＮ機能を実現するために、スタンドアロンゲートウェイの場合には、ローカルホームネットワーク（Local Home Network）の概念を定義し、すなわち１組の基地局又はホーム基地局は、１つ又は複数のスタンドアロンゲートウェイによりローカルＩＰのＳＩＰＴＯ＠ＬＮへのアクセスを実現する。ローカルホームネットワーク識別子ＬＨＮ ＩＤ（Local Home Network ID）は１つＰＬＭＮの下で該ローカルネットワークを唯一標識する。現在、１つのゲートウェイが１つのＬＨＮ ＩＤのみに属する。基地局（マクロ基地局であってもよいし、ホーム基地局であってもよい）は、ローカルでサポートされたＬＨＮ ＩＤをＵＥ専用メッセージによりコアネットワークに報告する必要があり、ＳＩＰＴＯサービスＰＤＮ ＧＷ（PacketDataNetwork Gateway，パケットデータゲートウェイ）選択は、基地局又はホーム基地局(Ｈ)ｅＮＢで提供されたＬＨＮ ＩＤにより行ったサービススタンドアロンゲートウェイの選択である。このため、(Ｈ)ｅＮＢは、ＩＮＩＴＩＡＬ ＵＥ ＭＥＳＳＡＧＥ及びＵＰＬＩＮＫ ＮＡＳ ＴＲＡＮＳＰＯＲＴメッセージにＬＨＮ ＩＤを載せる必要がある。
【発明の概要】
【発明が解決しようとする課題】
【０００６】
上記小型基地局システムで、二重接続のシーンに対して、ＭｅＮＢとＳｅＮＢの概念を導入することにより、ユーザーはＳＩＰＴＯ＠ＬＮを確立する必要がある場合、ネットワーク側がどのようにＳＩＰＴＯ＠ＬＮのサポートに保障を提供するかが、解決しようとする問題である。
本発明が解決しようとする技術的問題は、小型基地局環境で二重接続サービス特性に対してＳＩＰＴＯ＠ＬＮをサポートしてスタンドアロンゲートウェイを選択することに保障を提供する、小型基地局環境で情報インタラクションを行う方法、基地局、及びモビリティ管理エンティティを提供することである。
【課題を解決するための手段】
【０００７】
上記技術的問題を解決するために、本発明は、小型基地局環境で情報インタラクションを行う方法を提供し、該方法は、
モビリティ管理エンティティが、ユーザー端末にサービスゲートウェイＳＧＷを再び選択するステップと、
モビリティ管理エンティティが、ユーザー端末がアクセスしたマスター基地局へ新たなＥＲＡＢアドレス情報が載せられた進化した無線アクセスベアラ（ＥＲＡＢ）修正メッセージを送信するステップと、を含む。
【０００８】
好ましくは、該方法は、以下の特徴を更に含む。
モビリティ管理エンティティＭＭＥが、ユーザー端末にサービスゲートウェイＳＧＷを再び選択するステップは、
モビリティ管理エンティティＭＭＥが、ユーザー端末にローカルネットワークで選定されたＩＰトラフィックオフロードサービス、又は無線アクセスネットワーク上層に位置する選定されたＩＰトラフィックオフロードサービスを新しく確立するために、サービスゲートウェイＳＧＷを再び選択することを含む。
【０００９】
好ましくは、該方法は、以下の特徴を更に含む。
新たなＥＲＡＢアドレス情報は、トランスポート層アドレス情報及びアップリンクＧＴＰトンネルエンドポイント識別子（ＧＴＰ ＴＥＩＤ）情報を含む。
【００１０】
上記技術的問題を解決するために、本発明は、小型基地局環境で情報インタラクションを行う方法を更に提供し、該方法は、
マスター基地局が、モビリティ管理エンティティにより送信された新たな進化した無線アクセスベアラ（ＥＲＡＢ）アドレス情報が載せられたＥＲＡＢ修正メッセージを受信することと、
前記ＥＲＡＢ修正メッセージを受信した後、前記新たなＥＲＡＢアドレス情報を基地局間インターフェースによりセカンダリ基地局に転送することと、を含む。
【００１１】
好ましくは、該方法は以下の特徴を更に含む。
前記基地局間インターフェースは、Ｘ２インターフェース又はＸｎインターフェースである。
【００１２】
上記技術的問題を解決するために、本発明は、基地局を更に提供し、該基地局は小型基地局環境でのマスター基地局として、
モビリティ管理エンティティＭＭＥにより送信された新たな進化した無線アクセスベアラ（ＥＲＡＢ）アドレス情報が載せられたＥＲＡＢ修正メッセージを受信するように設定されるモビリティ管理エンティティ情報受信モジュールと、
前記ＥＲＡＢ修正メッセージを受信した後、前記新たなＥＲＡＢアドレス情報を基地局間インターフェースによりセカンダリ基地局に転送するように設定される基地局間情報インタラクションモジュールと、を含む。
【００１３】
好ましくは、該基地局は、以下の特徴を更に含む。
前記基地局間インターフェースは、Ｘ２インターフェース又はＸｎインターフェースであり、
前記新たなＥＲＡＢアドレス情報は、トランスポート層アドレス情報及びアップリンクＧＴＰトンネルエンドポイント識別子（ＧＴＰ ＴＥＩＤ）情報を含む。
【００１４】
上記技術的問題を解決するために、本発明は、モビリティ管理エンティティを更に提供し、
ユーザー端末にサービスゲートウェイＳＧＷを再び選択するように設定されるゲートウェイ選択モジュールと、
ユーザー端末がアクセスしたマスター基地局へ新たなＥＲＡＢアドレス情報が載せられた進化した無線アクセスベアラ（ＥＲＡＢ）修正メッセージを送信するように設定されるメッセージ送信モジュールと、を含む。
【００１５】
好ましくは、該モビリティ管理エンティティは、以下の特徴を更に含む。
前記ゲートウェイ選択モジュールが、ユーザー端末にサービスゲートウェイＳＧＷを再び選択するように設定されることは、ユーザー端末にローカルネットワークで選定されたＩＰトラフィックオフロードサービス又は無線アクセスネットワーク上層に位置する選定されたＩＰトラフィックオフロードサービスを新しく確立するために、サービスゲートウェイＳＧＷを再び選択することを含む。
【００１６】
好ましくは、該モビリティ管理エンティティは、以下の特徴を更に含む。
前記新たなＥＲＡＢアドレス情報は、トランスポート層アドレス情報及びアップリンクＧＴＰトンネルエンドポイント識別子（ＧＴＰ ＴＥＩＤ）情報を含む。
【発明の効果】
【００１７】
従来技術に比べて、本発明の実施例が提供する、小型基地局環境で情報インタラクションを行う方法、基地局、及びモビリティ管理エンティティは、マスター基地局がユーザー端末に候補セカンダリ基地局を添加した後、前記候補セカンダリ基地局との間にローカルホームネットワーク情報をインタラクトし、そして情報インタラクションの結果により該候補セカンダリ基地局を使用して前記ユーザー端末に二重接続サービスを提供するかどうかを決定し、本発明は、小型基地局環境で二重接続サービス特性に対してＳＩＰＴＯ＠ＬＮサービスをサポートするスタンドアロンゲートウェイ選択に保障を提供できる。また、ＭＭＥが、ユーザー端末にサービスゲートウェイＳＧＷを再び選択した後、ユーザー端末がアクセスしたマスター基地局へ新たなＥＲＡＢアドレス情報が載せられたＥＲＡＢ修正メッセージを送信し、前記マスター基地局が、更に前記新たなＥＲＡＢアドレス情報を基地局間インターフェースによりセカンダリ基地局に転送することにより、小型基地局環境で二重接続サービス特性に対してＳＩＰＴＯ＠ＬＮサービスをサポートすることを保障する。
【図面の簡単な説明】
【００１８】
【図１】図１は、関連技術におけるＬＴＥ全体アーキテクチャの模式図である。
【図２】図２は、関連技術における小型基地局のシーンで二重接続ユーザプレーン１Ａアーキテクチャの模式図である。
【図３】図３は、関連ＬＴＥシステムでＳＩＰＴＯ＠ＬＮをサポートするとともにＬＧＷをスタンドアロンするアーキテクチャの模式図である。
【図４】図４は、本発明の実施例における小型基地局環境で情報インタラクションを行う方法のフローチャートである。
【図５】図５は、図４の方法の詳細的なフローチャートである。
【図６】図６は、図５の方法のネットワークエレメントの間の情報インタラクション図である。
【図７】図７は、本発明の実施例の他種の小型基地局環境で情報インタラクションを行う方法のフローチャートである。
【図８】図８は、図７の方法のネットワークエレメントの間の情報インタラクション図である。
【図９】図９は、本発明の実施例の他種の小型基地局環境で情報インタラクションを行う方法（ＭＭＥ）のフローチャートである。
【図１０】図１０は、本発明の実施例の他の小型基地局環境で情報インタラクションを行う方法（マスター基地局）のフローチャートである。
【図１１】図１１は、本発明の実施例の小型基地局環境でのマスター基地局の構造模式図である。
【図１２】図１２は、本発明の実施例の他の小型基地局環境でのマスター基地局の構造模式図である。
【図１３】図１３は、本発明の実施例のモビリティ管理エンティティの構造模式図である。
【発明を実施するための形態】
【００１９】
以下、図面を参照しながら本発明の実施例を詳しく説明する。なお、矛盾が生じない場合には、本出願における実施例及び実施例における特徴は互いに任意に組み合わせることができる。
【００２０】
図４に示すように、本発明の実施例は、小型基地局環境で情報インタラクションを行う方法を提供し、該方法は、以下のステップＳ１０〜Ｓ３０を含む。
Ｓ１０：マスター基地局がユーザー端末に候補セカンダリ基地局を添加すること、
Ｓ２０：マスター基地局と前記候補セカンダリ基地局との間は基地局間インターフェースによりローカルホームネットワーク情報をインタラクトすること、
Ｓ３０：マスター基地局が該候補セカンダリ基地局を使用して前記ユーザー端末に二重接続サービスを提供するかどうかを決定すること、
を含む。
【００２１】
該方法は、以下の特徴を更に含んでもよい。
【００２２】
その中に、ステップＳ１０において、マスター基地局がユーザー端末に候補セカンダリ基地局を添加することは、マスター基地局がユーザー端末より報告された隣接領域信号品質情報を含む測定レポートを受信することと、マスター基地局が信号品質が要求に符合する隣接セルを確定し、前記隣接セルの帰属する基地局を候補セカンダリ基地局とすることと、を含む。
【００２３】
その中に、ステップＳ１０の前に、
マスター基地局は、ユーザー端末が本基地局にアクセスすることを検出した後、Ｓ１インターフェースメッセージによりモビリティ管理エンティティＭＭＥへマスター基地局のローカルホームネットワーク情報を報告すること、を更に含み、
その中に、前記ローカルホームネットワーク情報は、コアネットワークがローカルネットワークで選定されたＩＰトラフィックオフロードＳＩＰＴＯ＠ＬＮをサポートするローカルゲートウェイの選択を行うことに用いられる。すなわち、ＭＭＥがマスター基地局のローカルホームネットワーク情報を受信した後、該情報を保存して後続のＳＩＰＴＯ＠ＬＮサービスの確立のために、対応するスタンドアロンゲートウェイを選択することに用いる。
【００２４】
その中に、前記ローカルホームネットワーク情報は、ローカルホームネットワーク識別子（ＬＨＮ ＩＤ，Local Home Network  ID）を含む。
【００２５】
好ましくは、Ｓ１インターフェースメッセージは、公共Ｓ１インターフェースメッセージであってもよいし、ＵＥ専用Ｓ１インターフェースメッセージであってもよい。その中に、公共Ｓ１インターフェースメッセージは、Ｓ１確立請求メッセージ、基地局配置更新メッセージの１種又は多種を採用することができ、ＵＥ専用Ｓ１インターフェースメッセージは、ＩＮＩＴＩＡＬ ＵＥ ＭＥＳＳＡＧＥ、ＵＰＬＩＮＫ ＮＡＳ ＴＲＡＮＳＰＯＲＴメッセージの１種又は多種を採用することができる。前記Ｓ１インターフェースメッセージは、上記挙げられたＳ１インターフェースメッセージに限定されない。
【００２６】
その中に、ステップＳ２０において、前記基地局間インターフェースは、Ｘｎインターフェース又はＸ２インターフェースである。
【００２７】
Ｘｎインターフェースメッセージは、Ｘｎインターフェース確立メッセージ、基地局配置更新メッセージ、又はＵＥ関連のＸｎインターフェースメッセージの任意の１種であってよい。
【００２８】
好ましくは、ステップＳ３０において、マスター基地局が、該候補セカンダリ基地局を使用して前記ユーザー端末に二重接続サービスを提供するかどうかを決定することは、下記のことを含む。
前記候補セカンダリ基地局と前記マスター基地局が同じローカルホームネットワークに帰属する場合、
現在、該ユーザー端末に二重接続を既に確立していると、前記候補セカンダリ基地局を新たなセカンダリ基地局として現在のセカンダリ基地局を取り替えて、前記ユーザー端末に二重接続サービスを提供し、
現在、まだ該ユーザー端末に二重接続を確立していないと、前記候補セカンダリ基地局を新たなセカンダリ基地局として添加して、前記ユーザー端末に二重接続サービスを提供すること、を含む。
【００２９】
前記候補セカンダリ基地局と前記マスター基地局が異なるローカルホームネットワークに帰属する、又は前記候補セカンダリ基地局がローカルホームネットワークをサポートしない場合、前記候補セカンダリ基地局を新たなセカンダリ基地局として確定し前記ユーザー端末に二重接続サービスを提供しないことは、
現在、該ユーザー端末に二重接続を既に確立していると、該ユーザー端末を二重接続から単一接続に変換し且つ前記候補セカンダリ基地局に切り替え、又は該ユーザー端末を二重接続から単一接続に変換し且つ現在のマスター基地局との接続を保持し、又は現在の二重接続を保持することと、
現在、まだ該ユーザー端末に二重接続を確立していないと、現在の接続を保持し、すなわち、マスター基地局は、後続の前記ユーザー端末に前記マスター基地局とともに同一のローカルホームネットワークに帰属する基地局を優先的に考えられる、より適合な候補セカンダリ基地局を添加することを待ち、その後、該ユーザー端末に二重接続を確立することと、を含む。
すなわち、前記候補セカンダリ基地局と前記マスター基地局が異なるローカルホームネットワークに帰属する、又は前記候補セカンダリ基地局がローカルホームネットワークをサポートしない場合、ＵＥが現在、二重接続していると、マスター基地局は、ＵＥデータを二重接続から単一接続に変換し、そして基地局間の切り替えを行い、又は元のセカンダリ基地局を取り替える１つの新たな適合な候補セカンダリ基地局（適合な候補セカンダリ基地局はマスター基地局ローカルホームネットワーク識別子と同じ基地局である）を見付けるまで、ＵＥが新たな測定レポートを報告した後、マスター基地局が前記ユーザー端末に新たな候補セカンダリ基地局を添加することを待ち続くことを考え、ＵＥが現在、二重接続していない（単一接続している）が、ネットワーク側（マスター基地局）がＵＥに二重接続サービスを確立することを考えると、マスター基地局は新たなセカンダリ基地局を選択する場合、該セカンダリ基地局がマスター基地局と同じローカルホームネットワークをサポートするかどうかを考慮要素の１つとする必要があり、本回に候補セカンダリ基地局が要求を満たしていないと、後続の前記ユーザー端末により適合な候補セカンダリ基地局を添加することを待ち、その後、該ユーザー端末に二重接続を確立する。
【００３０】
好ましくは、マスター基地局は、１つの異なるローカルホームネットワーク（マスター基地局でサポートされたローカルホームネットワークと異なる）をサポートするセカンダリ基地局を添加する、又は１つのローカルホームネットワークをサポートしないセカンダリ基地局を添加すると、マスター基地局は、Ｓ１インターフェースメッセージによりモビリティ管理エンティティＭＭＥへマスター基地局のローカルホームネットワーク情報を報告する際、例えばサポートすることからサポートしないことまで、又はサポートしないことからサポートすることまでの変更後のローカルホームネットワーク情報、、及び対応するサポートされたローカルホームネットワーク情報（ＬＨＮ ＩＤ）が載せられる。 
【００３１】
好ましくは、ステップＳ３０において、該ユーザー端末を二重接続から単一接続に変換し、且つ前記候補セカンダリ基地局に切り替えた後、 
マスター基地局が、前記候補セカンダリ基地局のローカルホームネットワーク情報をコアネットワークに報告し、コアネットワークが、該情報を利用してローカルゲートウェイサービスを行うことを更に含む。
【００３２】
図５に示すように、小型基地局のシーンで、ＳＩＰＴＯ＠ＬＮサービスをサポートするために、二重接続特性に対して行った処理は、以下のステップＳ１０１〜Ｓ１０７を含む。
【００３３】
Ｓ１０１：ユーザー端末がマスター基地局にアクセスし、マスター基地局はＳ１インターフェースメッセージにより本基地局のローカルホームネットワーク情報をＭＭＥに報告する。
【００３４】
その中に、ＭＭＥがマスター基地局のローカルホームネットワーク情報を受信した後、該情報を保存して後続のＳＩＰＴＯ＠ＬＮサービスを確立するために対応するスタンドアロンゲートウェイを選択することに用いる。
【００３５】
Ｓ１０２：マスター基地局が、ユーザー端末に候補セカンダリ基地局を添加する。
【００３６】
その中に、マスター基地局が、ユーザー端末より報告された測定レポートを受信し、且つ該測定レポートにより候補セカンダリ基地局を確立し、ユーザー端末より報告されたある隣接セルの信号品質が要求を満たしていると、前記隣接セルの帰属する基地局を候補のセカンダリ基地局とする。
【００３７】
Ｓ１０３：マスター基地局と前記候補セカンダリ基地局との間は基地局間インターフェースメッセージによりローカルホームネットワーク情報をインタラクトする。
【００３８】
その中に、ローカルホームネットワーク情報はローカルホームネットワーク識別子（ＬＨＮ ＩＤ）を含む。前記基地局間インターフェースは、Ｘｎインターフェースである。その中に、Ｘｎインターフェースプロセスは、Ｘｎインターフェース確立プロセスであってもよいし、基地局配置更新プロセスであってもよいし、ひいてはＵＥ関連のＸｎインターフェースメッセージであってもよい。
【００３９】
Ｓ１０４：マスター基地局と候補セカンダリ基地局が同一のローカルホームネットワークに属するかどうかを判断し、そうであるとステップＳ１０５を実行し、そうではないと、ステップＳ１０２に戻る。
【００４０】
その中に、基地局のローカルホームネットワーク識別子（ＬＨＮ ＩＤ）により２つの基地局が同一のローカルホームネットワークに属するかどうかを判断し、同じであると同一のローカルホームネットワークに属する。
【００４１】
Ｓ１０５：ユーザー端末が現在、二重接続状態にあるかどうかを判断し、そうであると、ステップＳ１０６を実行し、そうではないとステップＳ１０７を実行する。
【００４２】
Ｓ１０６：セカンダリ基地局を変換することを決定し、前記候補セカンダリ基地局で元のセカンダリ基地局を取り替えて、ユーザー端末に二重接続サービスを提供する。
Ｓ１０７：セカンダリ基地局を添加することを決定し、前記候補セカンダリ基地局を添加してユーザー端末に二重接続サービスを提供する。
【００４３】
好ましくは、ステップＳ１０４において、マスター基地局と候補セカンダリ基地局は同一のローカルホームネットワークに属しないと判断すると、例えば、セカンダリ基地局が別のローカルホームネットワークに属する、又はセカンダリ基地局がローカルホームネットワークをサポートしない場合、更にユーザー端末が現在、二重接続状態にあるかどうかを判断することができ、そうであると、該ユーザー端末を二重接続から単一接続に変換し、そして前記候補セカンダリ基地局に切り替え、又は該ユーザー端末を二重接続から単一接続に変換し、且つ現在のマスター基地局との接続を保持する。
【００４４】
図６は、ＭＭＥ、ユーザー端末、マスター基地局、セカンダリ基地局の間の情報インタラクション過程を示し、
１、：マスター基地局が、ＭＭＥへ本ＭｅＮＢのサポートするローカルホームネットワーク情報を報告することと、
２、：ＭＭＥが、該報告されたローカルホームネットワーク情報を保存して後続のＳＩＰＴＯ＠ＬＮサービスの確立に用いることと、
３、：マスター基地局が、候補のＳｅＮＢを確定することと、
４、：マスター基地局と候補のセカンダリ基地局が、Ｘｎインターフェースによりサポートされたローカルホームネットワーク情報をインタラクトすることと、
５、：マスター基地局が、ローカル方策により該候補ＳｅＮＢを添加してＵＥに二重接続サービスを提供するかどうかを決定することと、
を含む。
【００４５】
図７に示すように、本発明の実施例は、小型基地局環境で情報インタラクションを行う方法を提供し、該方法は、以下を含む。
【００４６】
Ｓ７１０：モビリティ管理エンティティＭＭＥは、ユーザー端末にサービスゲートウェイＳＧＷを再び選択した後、ユーザー端末がアクセスしたマスター基地局へ新たなＥＲＡＢアドレス情報が載せられた進化した無線アクセスベアラ（ＥＲＡＢ）修正メッセージを送信する。
【００４７】
Ｓ７２０：前記マスター基地局は、前記ＥＲＡＢ修正メッセージを受信した後、前記新たなＥＲＡＢアドレス情報を基地局間インターフェースによりセカンダリ基地局に転送する。
該方法は、以下の特徴を更に含んでもよい。
【００４８】
その中に、ステップＳ７１０において、モビリティ管理エンティティＭＭＥがユーザー端末にサービスゲートウェイＳＧＷを再び選択することは、
モビリティ管理エンティティＭＭＥは、ユーザー端末にローカルネットワークで選定されたＩＰトラフィックオフロードＳＩＰＴＯ＠ＬＮ、又は無線アクセスネットワーク上層に位置する選定されたＩＰトラフィックオフロードＳＩＰＴＯ ａｂｏｖｅ ＲＡＮサービスを新しく確立するために、サービスゲートウェイＳＧＷを再び選択する（例えば、もとのサービスゲートウェイがローカルホームネットワークをサポートしない場合）ことを含む。
【００４９】
その中に、前記進化した無線アクセスベアラ（ＥＲＡＢ，Evolved Radio Access Bear）アドレス情報は、トランスポート層アドレス（Transport Layer Address）情報及びアップリンクＧＴＰトンネルエンドポイント識別子（GPRS Tunnel Protocol Tunnel Endpoint Identifier，ＧＴＰ ＴＥＩＤ）情報を含む。
【００５０】
好ましくは、ステップＳ７２０において、前記基地局間インターフェースは、Ｘ２インターフェース又はＸｎインターフェースである。
【００５１】
その中に、Ｘｎインターフェースメッセージは、従来のＸｎインターフェースメッセージを修正したものであってもよいし、新しく増加した独立のＸｎインターフェースメッセージであってもよい。新たなＥＲＡＢアドレス情報は、トランスポート層アドレス情報（Transport Layer Address）及びアップリンクＧＴＰ ＴＥＩＤ情報を含む。
【００５２】
その中に、セカンダリ基地局は、上記ＥＲＡＢ修正メッセージを受信した後、ＳＧＷのアドレスが変更されたことを取得することができ、後続に新たなＳＧＷによりデータを伝送する。
【００５３】
図８は、ＭＭＥ、ユーザー端末、マスター基地局、セカンダリ基地局の間の情報インタラクション過程を示し、以下のことを含む。
８０１：ＭＭＥは、マスター基地局へＥＲＡＢ修正メッセージを送信し、その中にはＳＧＷ更新後のＥＲＡＢトランスポート層アドレス情報及びアップリンクＧＴＰ ＴＥＩＤ情報が含まれる。
８０２：マスター基地局は、前記新たなＥＲＡＢアドレス情報を基地局間インターフェースによりセカンダリ基地局に転送し、その中にはＳＧＷ更新後のＥＲＡＢトランスポート層アドレス情報及びアップリンクＧＴＰ ＴＥＩＤ情報が含まれる。
８０３：セカンダリ基地局は、ローカルでＳＧＷ更新後のＥＲＡＢトランスポート層アドレス情報及びアップリンクＧＴＰ ＴＥＩＤ情報を処理し保存する。
【００５４】
図９に示すように、本発明の実施例は、小型基地局環境で情報インタラクションを行う方法を提供し、該方法は、
Ｓ９１０：モビリティ管理エンティティが、ユーザー端末にサービスゲートウェイＳＧＷを再び選択すること、
Ｓ９２０：モビリティ管理エンティティが、ユーザー端末がアクセスしたマスター基地局へ新たなＥＲＡＢアドレス情報が載せられた進化した無線アクセスベアラ（ＥＲＡＢ）修正メッセージを送信すること、
を含む。
【００５５】
該方法は、以下の特徴を更に含んでもよい。
【００５６】
その中に、モビリティ管理エンティティＭＭＥがユーザー端末にサービスゲートウェイＳＧＷを再び選択することは、
モビリティ管理エンティティＭＭＥは、ユーザー端末にローカルネットワークで選定されたＩＰトラフィックオフロードサービス、又は無線アクセスネットワーク上層に位置する選定されたＩＰトラフィックオフロードサービスを新しく確立するために、サービスゲートウェイＳＧＷを再び選択することを含む。
【００５７】
その中に、新たなＥＲＡＢアドレス情報は、トランスポート層アドレス情報及びアップリンクＧＴＰトンネルエンドポイント識別子（ＧＴＰ ＴＥＩＤ）情報を含む。
【００５８】
図１０に示すように、本発明の実施例は、小型基地局環境で情報インタラクションを行う方法を提供し、該方法は、
Ｓ１０１０：マスター基地局が、モビリティ管理エンティティで送信された新たな進化した無線アクセスベアラ（ＥＲＡＢ）アドレス情報が載せられたＥＲＡＢ修正メッセージを受信すること、
Ｓ１０２０：マスター基地局が、前記ＥＲＡＢ修正メッセージを受信した後、前記新たなＥＲＡＢアドレス情報を基地局間インターフェースによりセカンダリ基地局に転送すること、
を含む。
【００５９】
該方法は、以下の特徴を更に含んでもよい。
【００６０】
その中に、前記基地局間インターフェースは、Ｘ２インターフェース又はＸｎインターフェースである。
【００６１】
図１１に示すように、本発明の実施例は、基地局を提供し、該基地局は小型基地局環境でのマスター基地局として、
ユーザー端末に候補セカンダリ基地局を添加するための候補セカンダリ基地局添加モジュールと、
前記候補セカンダリ基地局との間で基地局間インターフェースによりローカルホームネットワーク情報をインタラクトするための基地局間情報インタラクションモジュールと、
前記候補セカンダリ基地局を使用して前記ユーザー端末に二重接続サービスを提供するかどうかを決定するためのセカンダリ基地局判定モジュールと、を含む。
【００６２】
該マスター基地局は、以下の特徴を更に含んでもよい。
【００６３】
好ましくは、前記ローカルホームネットワーク情報は、ローカルホームネットワーク識別子ＬＨＮ ＩＤを含む。
【００６４】
セカンダリ基地局判定モジュールが、該候補セカンダリ基地局を使用して前記ユーザー端末に二重接続サービスを提供するかどうかを決定することは、以下のことを含む。
前記候補セカンダリ基地局と前記マスター基地局が同じローカルホームネットワークに帰属する場合、
現在、該ユーザー端末に二重接続を既に確立していると、前記候補セカンダリ基地局を新たなセカンダリ基地局として現在のセカンダリ基地局を取り替えて、前記ユーザー端末に二重接続サービスを提供し、
現在、まだ該ユーザー端末に二重接続を確立していないと、前記候補セカンダリ基地局を新たなセカンダリ基地局として添加して、前記ユーザー端末に二重接続サービスを提供する。
【００６５】
前記候補セカンダリ基地局と前記マスター基地局が異なるローカルホームネットワークに帰属する、又は前記候補セカンダリ基地局がローカルホームネットワークをサポートしない場合、前記候補セカンダリ基地局を新たなセカンダリ基地局として確定し前記ユーザー端末に二重接続サービスを提供しないことは、
現在、該ユーザー端末に二重接続を既に確立していると、該ユーザー端末を二重接続から単一接続に変換し且つ前記候補セカンダリ基地局に切り替え、又は該ユーザー端末を二重接続から単一接続に変換し且つ現在のマスター基地局との接続を保持し、又は現在の二重接続を保持することと、
現在、まだ該ユーザー端末に二重接続を確立していないと、現在の接続を保持することと、を含む。
【００６６】
好ましくは、前記マスター基地局は、報告モジュールを更に含み、
前記報告モジュールは、Ｓ１インターフェースメッセージによりモビリティ管理エンティティＭＭＥへマスター基地局のローカルホームネットワーク情報を報告することに用いられ、
その中に、前記ローカルホームネットワーク情報は、コアネットワークがローカルネットワークで選定されたＩＰトラフィックオフロードＳＩＰＴＯ＠ＬＮをサポートするローカルゲートウェイの選択を行うことに用いられる。
【００６７】
好ましくは、前記基地局間インターフェースは、Ｘｎインターフェース又はＸ２インターフェースである。
【００６８】
図１２に示すように、本発明の実施例は、基地局を提供し、該基地局が小型基地局環境でのマスター基地局として、 
モビリティ管理エンティティＭＭＥで送信された、新たな進化した無線アクセスベアラ（ＥＲＡＢ）アドレス情報が載せられたＥＲＡＢ修正メッセージを受信するためのモビリティ管理エンティティ情報受信モジュールと、
前記ＥＲＡＢ修正メッセージを受信した後、前記新たなＥＲＡＢアドレス情報を基地局間インターフェースによりセカンダリ基地局に転送するための基地局間情報インタラクションモジュールと、を含む。
【００６９】
該マスター基地局は、以下の特徴を更に含んでもよい。
【００７０】
好ましくは、前記基地局間インターフェースは、Ｘ２インターフェース又はＸｎインターフェースである。
【００７１】
好ましくは、前記進化した無線アクセスベアラ（ＥＲＡＢ，Evolved Radio Access Bear）アドレス情報は、トランスポート層アドレス（Transport Layer Address）情報及びアップリンクＧＴＰトンネルエンドポイント識別子（GPRS Tunnel Protocol Tunnel Endpoint Identifier，ＧＴＰ ＴＥＩＤ）情報を含む。
【００７２】
図１３に示すように、本発明の実施例は、モビリティ管理エンティティを提供し、
ユーザー端末にサービスゲートウェイＳＧＷを再び選択するためのゲートウェイ選択モジュールと、
ユーザー端末がアクセスしたマスター基地局へ、新たなＥＲＡＢアドレス情報が載せられた進化した無線アクセスベアラ（ＥＲＡＢ）修正メッセージを送信するためのメッセージ送信モジュールと、を含む。
【００７３】
該モビリティ管理エンティティは、以下の特徴を更に含んでもよい。
【００７４】
好ましくは、前記ゲートウェイ選択モジュールが、ユーザー端末にサービスゲートウェイＳＧＷを再び選択することに用いられることは、ユーザー端末にローカルネットワークで選定されたＩＰトラフィックオフロードＳＩＰＴＯ＠ＬＮサービス、又は無線アクセスネットワーク上層に位置する選定されたＩＰトラフィックオフロードＳＩＰＴＯ ａｂｏｖｅ ＲＡＮサービスを新しく確立するために、サービスゲートウェイＳＧＷを再び選択することを含む。
【００７５】
好ましくは、前記新たなＥＲＡＢアドレス情報は、トランスポート層アドレス情報及びアップリンクＧＴＰトンネルエンドポイント識別子（ＧＴＰ ＴＥＩＤ）情報を含む。  
【００７６】
当業者は、上記方法における全部又は一部のステップを、プログラムで関連のハードウェアを指令することにより完成することができ、前記プログラムは、コンピュータが読取可能な記憶媒体、例えば読み出し専用メモリ、ディスク又はＣＤなどに記憶することができることを理解することができる。選択的に、上記実施例の全部又は一部のステップは、１つ又は複数の集積回路を採用して達成することもできる。その分、上記実施例における各モジュール／ユニットはハードウェアの形式で達成してもよいし、ソフトウェア機能モジュールの形式で達成してもよい。本発明は、いずれの特定形式のハードウェアとソフトウェアの組み合わせに限定されたものではない。
【００７７】
なお、本発明は他の多種の実施例を更に有してもよく、本発明の精神及びその実質から逸脱しない場合に、当業者は本発明により各種の相応の改変と変形を行うことができるが、これらの相応の改変と変形はいずれも本発明に付属する請求項の保護範囲に属すべきである。
【産業上の利用可能性】
【００７８】
上記実施例が提供する小型基地局環境で情報インタラクションを行う方法、基地局、及びモビリティ管理エンティティは、マスター基地局がユーザー端末に候補セカンダリ基地局を添加した後、前記候補セカンダリ基地局との間にローカルホームネットワーク情報をインタラクトし、そして情報インタラクションの結果により該候補セカンダリ基地局を使用して前記ユーザー端末に二重接続サービスを提供するかどうかを決定し、本発明の実施例は、小型基地局環境で二重接続サービス特性に対してＳＩＰＴＯ＠ＬＮサービスをサポートするスタンドアロンゲートウェイ選択に保障を提供できる。また、ＭＭＥは、ユーザー端末にサービスゲートウェイＳＧＷを再び選択した後、ユーザー端末がアクセスしたマスター基地局へ新たなＥＲＡＢアドレス情報が載せられたＥＲＡＢ修正メッセージを送信し、前記マスター基地局は更に前記新たなＥＲＡＢアドレス情報を基地局間インターフェースによりセカンダリ基地局に転送することにより、小型基地局環境で二重接続サービス特性に対してＳＩＰＴＯ＠ＬＮサービスをサポートすることを保障する。
【図１】
2018129816.tif 000003
【図２】
2018129816.tif 000004
【図３】
2018129816.tif 000005
【図４】
2018129816.tif 000006
【図５】
2018129816.tif 000007
【図６】
2018129816.tif 000008
【図７】
2018129816.tif 000009
【図８】
2018129816.tif 000010
【図９】
2018129816.tif 000011
【図１０】
2018129816.tif 000012
【図１１】
2018129816.tif 000013
【図１２】
2018129816.tif 000014
【図１３】
2018129816.tif 000015